(57)【特許請求の範囲】
【請求項１】
片面に粘着層が形成された基材シートと、
止血成分を含む不織布を有し、前記基材シートの前記片面からはみ出さずに前記片面に接着された止血パッドと、
前記基材シートとで前記止血パッドを挟むように、前記片面を剥離可能に被覆する剥離シートとを備えており、
前記粘着層は、前記片面に対して垂直な方向から見たときにおいて、前記片面の面内方向の少なくとも一方向に関して前記止血パッドの両側に配置されており、
前記止血パッドは、前記不織布の少なくとも片面に一体的に積層された補強シートを有していることを特徴とする絆創膏。
【請求項２】
前記止血成分は、アルギン酸塩、オキシセルロース、酸化コラーゲン、セルロースナトリウムの少なくともいずれかであることを特徴とする請求項１に記載の絆創膏。
【請求項３】
前記粘着層は、前記片面に対して垂直な方向から見たときにおいて、前記止血パッドの全周を囲むように配置されていることを特徴とする請求項１又は２に記載の絆創膏。
【請求項４】
前記補強シートは、前記不織布よりも引っ張り強度が高いことを特徴とする請求項１〜３のいずれか１項に記載の絆創膏。
【請求項５】
前記補強シートは、その厚みが前記不織布よりも薄いことを特徴とする請求項４に記載の絆創膏。
【請求項６】
前記不織布の嵩密度が、４．０×１０-2ｇ／ｃｍ3以上であることを特徴とする請求項１〜５のいずれか１項に記載の絆創膏。
【請求項７】
前記補強シートは、前記不織布の前記基材シート側に積層されていることを特徴とする請求項１〜６のいずれか１項に記載の絆創膏。
【請求項８】
前記基材シートは、前記基材シートの前記一方向の一端部を前記片面側に折り返してなる折り返し部を有することを特徴とする請求項１〜７のいずれか１項に記載の絆創膏。
【請求項９】
止血成分を含む不織布長尺体の少なくとも片面に補強シート長尺体を一体的に積層して搬送方向に長尺な止血パッド長尺体を形成するパッド形成工程と、
前記止血パッド長尺体を搬送する搬送工程と、
前記搬送工程で搬送されてきた前記止血パッド長尺体、又は、当該止血パッド長尺体を前記搬送方向の長さが所定寸法となるように切断して形成した止血パッドを、前記搬送方向に長尺な基材シート長尺体の粘着層が形成された片面の所定位置に貼り付けるパッド貼付工程と、
前記パッド貼付工程後に、前記搬送方向に長尺な剥離シート長尺体を、前記基材シート長尺体の前記粘着層に貼り付けて絆創膏前躯体を形成する前躯体形成工程と、
前記絆創膏前躯体を切断して絆創膏を形成する切断工程とを備えていることを特徴とする絆創膏の製造方法。
【請求項１０】
前記パッド形成工程において、前記止血パッド長尺体をロール状に巻き取って原反ロールを製造し、
前記搬送工程において、前記原反ロールから繰り出した前記止血パッド長尺体を搬送することを特徴とする請求項９に記載の絆創膏の製造方法。
【請求項１１】
前記前躯体形成工程の前に、前記基材シート長尺体の前記搬送方向と直交する方向の一端部を前記片面側に折り返す折り返し工程をさらに備えていることを特徴とする請求項９又は１０に記載の絆創膏の製造方法。
【発明の詳細な説明】
【技術分野】
【０００１】
本発明は、止血パッドを有する絆創膏及びその製造方法に関する。
【背景技術】
【０００２】
特許文献１には、可溶性止血材層、粘着層、及び、固定用シートが積層された３層構造を有する止血材について記載されている。粘着層は、可溶性止血材層及び固定用シートに粘着している。可溶性止血材層は、創傷部位に当てられると、血液を吸収することにより膨潤しながら溶解する。この溶解した止血材は、血液凝固因子の活性化、さらに血液凝固触媒の生成を促進する。この結果、創傷面が止血される。
【先行技術文献】
【特許文献】
【０００３】
【特許文献１】特開平９−２９４７６５号公報
【発明の概要】
【発明が解決しようとする課題】
【０００４】
上記特許文献１に記載の止血材の可溶性止血材層は、オキシセルロース、酸化コラーゲン、セルロースナトリウム、アルギン酸カルシウムなどの止血成分を含む不織布から構成されており、優れた止血効果を持つ。そこで、本発明者が、止血成分を含む不織布を用いた絆創膏を検討したところ、以下の課題を知見した。
【０００５】
絆創膏は、例えば、原反ロールから繰り出された不織布長尺体又は当該不織布長尺体を切断して所定の形状に形成された不織布を、粘着剤が塗布された基材シート長尺体の粘着面に貼り付けた後、基材シート長尺体に剥離シート長尺体を貼り付けて絆創膏前躯体を形成し、その後、この絆創膏前躯体を適宜カットすることで製造される。不織布長尺体又は不織布を基材シート長尺体の粘着面に貼り付けるまでの不織布長尺体の搬送過程では、不織布長尺体に弛みや皺が生じないように、不織布長尺体には所定の張力がかけられた状態で搬送される。このとき、絆創膏の生産性を向上させるために、不織布長尺体は比較的速い速度で搬送される。しかしながら、その搬送過程において、自由回転する案内ロールの抵抗を受けたり、搬送速度を高くするため駆動ロールからの回転力を受けたりすると、不織布長尺体に張力が加わる。これらの張力は、搬送速度が高くなるほど大きくなる。一方、止血成分を含む不織布長尺体は引っ張り強度が小さいため、製造過程において、所定の張力を越える張力がかかると、不織布長尺体が変形して厚みや幅の寸法が小さくなったり不均一な形状となったりし、場合によっては破断してしまう問題が生じる。
【０００６】
また、不織布長尺体が過剰な張力で伸張すると、基材シート長尺体へ貼り付けた後に不織布長尺体のみが収縮し、基材シートに皺を生じさせることもある。また、止血成分を含む不織布長尺体は強度が低く、搬送ローラなどとの接触で、表面が毛羽立ったり繊維が細かな塵となって飛散しやすいという問題もある。
【０００７】
そこで、本発明の目的は、止血成分を含む不織布を有する止血パッドの引っ張り強度を向上させて所定形状に維持された止血パッドを備え、生産性が向上する絆創膏及び止血成分を含む不織布長尺体の変形や破断を抑制する絆創膏の製造方法を提供することである。
【課題を解決するための手段】
【０００８】
本発明の絆創膏は、片面に粘着層が形成された基材シートと、止血成分を含む不織布を有し、前記基材シートの前記片面からはみ出さずに前記片面に接着された止血パッドと、前記基材シートとで前記止血パッドを挟むように、前記片面を剥離可能に被覆する剥離シートとを備えている。そして、前記粘着層は、前記片面に対して垂直な方向から見たときにおいて、前記片面の面内方向の少なくとも一方向に関して前記止血パッドの両側に配置されており、前記止血パッドは、前記不織布の少なくとも片面に一体的に積層された補強シートを有している。
【０００９】
これによると、止血パッドが、不織布と補強シートとが一体的に積層されて構成される。このため、止血パッドの引っ張り強度が、不織布だけを有する止血パッドよりも大きくなる。このように止血パッドの引っ張り強度が大きくなるような構成とすることで、製造過程において止血パッドとなる止血パッド長尺体に不織布が許容を越えて変形したり破断したりする張力がかかっても当該止血パッド長尺体が変形したり破断したりしにくくなり、基材シートの皺の発生が抑制される。このため、所定形状に維持された止血パッドを備え、生産性が向上する絆創膏となる。
【００１０】
本発明において、前記止血成分は、アルギン酸塩、オキシセルロース、酸化コラーゲン、セルロースナトリウムの少なくともいずれかであることが好ましい。これにより、止血パッドが血液等でゲル化して創傷の治癒に適した湿潤状態を保持することが可能となり、優れた止血効果を得ることができる。
【００１１】
また、本発明において、前記粘着層は、前記片面に対して垂直な方向から見たときにおいて、前記止血パッドの全周を囲むように配置されていることが好ましい。これにより、絆創膏から外部への血液などの漏れを抑制することができる。
【００１２】
また、本発明において、前記補強シートは、前記不織布よりも引っ張り強度が高いことが好ましい。これにより、不織布の形状を効果的に保つことが可能となり、不織布の形が崩れにくくなる。また、製造過程において補強シートを貼り付けた不織布が変形しにくくなるので、この不織布を貼り付けた基材シートに皺が生じるのを抑制することができる。
【００１３】
また、本発明において、前記補強シートは、その厚みが前記不織布よりも薄いことが好ましい。これにより、止血パッドの厚みを小さくしつつ引っ張り強度を向上させることが可能となる。
【００１４】
また、本発明において、前記不織布の嵩密度が、４．０×１０-2ｇ／ｃｍ3以上であることが好ましい。これにより、液体吸収性が向上し、血液の凝固を促進させやすくなる。
【００１５】
また、本発明において、前記補強シートは、前記不織布の前記基材シート側に積層されていることが好ましい。これにより、補強シートを不織布の剥離シート側に積層させているものよりも、不織布の止血成分による血液の凝固がより促進する。
【００１６】
また、本発明において、前記基材シートは、前記基材シートの前記一方向の一端部を前記片面側に折り返してなる折り返し部を有することが好ましい。これにより、折り返し部が剥離シートに貼り付かなくなる。このため、折り返し部を掴んで基材シートを剥離シートから容易に剥がすことが可能となる。
【００１７】
また、本発明の絆創膏の製造方法は、止血成分を含む不織布長尺体の少なくとも片面に補強シート長尺体を一体的に積層して搬送方向に長尺な止血パッド長尺体を形成するパッド形成工程と、前記止血パッド長尺体を搬送する搬送工程と、前記搬送工程で搬送されてきた前記止血パッド長尺体、又は、当該止血パッド長尺体を前記搬送方向の長さが所定寸法となるように切断して形成した止血パッドを、前記搬送方向に長尺な基材シート長尺体の粘着層が形成された片面の所定位置に貼り付けるパッド貼付工程と、前記パッド貼付工程後に、前記搬送方向に長尺な剥離シート長尺体を、前記基材シート長尺体の前記粘着層に貼り付けて絆創膏前躯体を形成する前躯体形成工程と、前記絆創膏前躯体を切断して絆創膏を形成する切断工程とを備えている。
【００１８】
これによると、パッド形成工程で不織布長尺体と補強シート長尺体とが一体的に積層された止血パッド長尺体が形成される。このため、止血パッド長尺体の引っ張り強度が、不織布長尺体だけのときよりも大きくなり、不織布長尺体単体が許容を越えて変形したり破断したりする単位幅当たりの張力よりも大きい所定の張力を止血パッド長尺体にかけつつ止血パッド長尺体を搬送することが可能となり、絆創膏の生産性を向上させることができる。この搬送工程において、不織布が許容を越えて変形したり破断したりする張力が止血パッド長尺体にかかっても当該止血パッド長尺体の引っ張り強度は比較的大きいため、変形したり破断したりしにくくなる。このように止血パッドが変形しにくくなるので、止血パッドを貼り付けた基材シートに皺が生じるのを抑制することができ、所定形状の止血パッドを備えた絆創膏を安定よく生産することができる。また、止血パッド長尺体は、少なくとも片面に補強シート長尺体を有しているため、この補強シート長尺体側の表面を搬送ローラなどで支持し案内することで、不織布長尺体の表面が毛羽立つことや、不織布から繊維が塵埃となって飛散し絆創膏製品に混入することを抑制することができる。これにより、絆創膏の外観品質を維持することができる。
【００１９】
また、本発明においては、前記パッド形成工程において、前記止血パッド長尺体をロール状に巻き取って原反ロールを製造し、前記搬送工程において、前記原反ロールから繰り出した前記止血パッド長尺体を搬送することが好ましい。これにより、搬送工程では、止血パッド長尺体がロール状に巻き取られてなる原反ロールから繰り出されて搬送される。このため、パッド形成工程における不織布長尺体の搬送速度を、その後に止血パッド長尺体を搬送する速度と異なる任意の搬送速度に設定でき、不織布長尺体にかかる張力を小さく抑えることが可能となる。
【００２０】
また、本発明において、前記前躯体形成工程の前に、前記基材シート長尺体の前記搬送方向と直交する方向の一端部を前記片面側に折り返す折り返し工程をさらに備えていることが好ましい。これにより、基材シート長尺体の一端部に剥離シートに貼り付かない折り返し部を形成することが可能となる。このため、絆創膏において、折り返し部を掴んで基材シートを剥離シートから容易に剥がすことが可能となる。
【発明の効果】
【００２１】
本発明の絆創膏によると、止血パッドが、不織布と補強シートとが一体的に積層されて構成される。このため、止血パッドの引っ張り強度が、不織布だけを有する止血パッドよりも大きくなる。このように止血パッドの引っ張り強度が大きくなるような構成とすることで、製造過程において止血パッドとなる止血パッド長尺体に不織布が許容を越えて変形したり破断したりする張力がかかっても当該止血パッド長尺体が破断しにくくなる。さらに、製造過程において不織布が変形しにくくなるので、不織布を貼り付けた基材シートに皺が生じることを抑制できる。このため、止血成分を含む不織布を有しながら、型崩れが抑制されて所定形状に維持された止血パッドを備え、生産性が向上する絆創膏となる。
本発明の絆創膏の製造方法によると、パッド形成工程で不織布長尺体と補強シート長尺体とが一体的に積層された止血パッド長尺体が形成される。このため、止血パッド長尺体の引っ張り強度が、不織布長尺体だけのときよりも大きくなり、不織布長尺体単体が許容を越えて変形したり破断したりする単位幅当たりの張力よりも大きい所定の張力、例えば、パッド形成工程で不織布長尺体にかけ得る単位幅当たりの張力よりも大きい所定の張力を止血パッド長尺体にかけつつ止血パッド長尺体を搬送することが可能となり、所定形状の止血パッドを備えた絆創膏を安定よく高速で生産することができ、絆創膏の生産性を向上させることができる。この搬送工程において、止血パッド長尺体にかかる張力は、この止血パッド長尺体が変形したり破断したりする張力未満である必要はあるが、不織布が許容を越えて変形したり破断したりする張力が止血パッド長尺体にかかっても当該止血パッド長尺体の引っ張り強度は比較的大きいため、破断しにくくなる。
【図面の簡単な説明】
【００２２】
【図１】本発明の一実施形態に係る絆創膏を示しており、（ａ）は平面図であり、（ｂ）は一部を破断した状態の底面図である。
【図２】図１（ａ）に示すII−II線に沿った断面図である。
【図３】止血パッド長尺体を製造するための製造装置の概略構成図である。
【図４】絆創膏を製造するための製造装置の概略構成図である。
【発明を実施するための形態】
【００２３】
以下、本発明の一実施形態である絆創膏１について、図１及び図２を参照しつつ以下に説明する。
【００２４】
本実施形態における絆創膏１は、図１及び図２に示すように、基材シート１０と、止血バッド２０と、剥離シート３０とを有する。本実施形態の絆創膏１は、基材シート１０から剥離シート３０を剥がした後、出血している創傷部位に止血パッド２０を当てつつ、基材シート１０を創傷部位近傍に貼り付けて創傷部位の止血に用いるものである。
【００２５】
基材シート１０は、図１中左右方向Ａに長尺な長方形平面形状を有する。なお、基材シート１０の平面形状は、正方形や円形などであってもよく、使用箇所、創傷部位の大きさ等に応じて種類毎に種々の形状、大きさに形成されていてもよい。また、基材シート１０は、例えば、軟質塩化ビニル、ポリエチレン、ポリウレタン等の伸縮性に優れた合成樹脂製の素材を使用した、可撓性を有しているフィルムや不織布などを用いて形成され、エンボスや通気孔を備えたものであってもよいが、その他、一般的に使用される種々の素材を使用し可撓性を有していてもよい。
【００２６】
基材シート１０の剥離シート３０と対向する片面１１には、図１（ｂ）に示すように、粘着層１２が形成されている。この粘着層１２は、基材シート１０の片面１１の略全体に塗布された粘着剤により構成されている。粘着剤には、例えば、アクリル系粘着材、ゴム系粘着材、シリコーン系粘着材等を使用しているが、その他、一般的に使用される種々の粘着剤を使用することが可能である。
【００２７】
また、基材シート１０は、図１及び図２に示すように、折り返し部１３を有する。折り返し部１３は、基材シート１０の図中右方端を片面１１側に折り返し粘着層１２同士密着させることで形成されている。このため、図２に示すように、基材シート１０の折り返し部１３は、剥離シート３０に覆われているものの貼り付いていない。これにより、折り返し部１３を掴んで基材シート１０を剥離シート３０から容易に剥がすことが可能となる。
【００２８】
止血パッド２０は、所定の形状を備えており、本実施形態では図１に示すように、左右方向Ａに長尺な長方形平面形状を有する。止血パッド２０は、図２に示すように、不織布２１と、補強シート２２とを有し、互いに接着剤２３を介して一体的に積層されている。本実施形態における不織布２１及び補強シート２２は、ともに同じ平面形状、平面サイズに形成されているが、互いに異なる形状、平面サイズであってもよい。本実施形態における接着剤２３は、不織布２１の補強シート２２と対向する面２１ａと、補強シート２２の不織布２１と対向する面２２ａとの間の全域に層状に配置されているが、部分的に配置されていてもよい。要するに、接着剤２３は、不織布２１と補強シート２２とを接着することができればよく、所定パターンの線状や点状に形成されていてもよい。また、接着剤２３は、例えば、合成ゴム系ホットメルト接着剤により構成される。合成ゴム系ホットメルト接着剤は、一例として、スチレン−ブタジエン−スチレン共重合体を含む。
【００２９】
なお、不織布２１と補強シート２２は、熱溶着で一体的に積層されていてもよいし、互いに対向する面に凹凸加工を施し、両者を圧着しアンカー効果により一体的に積層させてもよい。
【００３０】
止血パッド２０は、図１（ｂ）に示すように、長手方向である左右方向Ａの長さ及び左右方向Ａと直交する幅方向Ｂの長さがともに基材シート１０よりも短く、基材シート１０の片面１１よりも狭くなっている。また、止血パッド２０は、基材シート１０の片面１１からはみ出さないように、片面１１の中央に配置され、粘着層１２によって片面１１に接着されている。これにより、粘着層１２は、図１（ｂ）に示すように、止血パッド２０の全周を囲むように配置されている。これにより、剥離シート３０を剥がした絆創膏１で創傷部位を覆うときに、基材シート１０の止血パッド２０の全周が創傷部位近傍に貼り付く。このため、絆創膏からの血液等の漏れを抑制することができる。
【００３１】
なお、止血パッド２０の製造過程での搬送方向である幅方向Ｂの長さは、基材シート１０と幅方向Ｂの長さと同じであってもよい。この場合、粘着層１２は左右方向Ａに関して止血パッド２０の両側に配置され、幅方向Ｂに関して止血パッド２０の両側に配置されない。また、止血パッド２０は、粘着層１２とは別の成分からなる接着剤によって基材シート１０の片面１１に接着されていてもよい。この場合、片面１１の止血パッド２０と対向する箇所には、粘着層１２を設けなくてもよい。
【００３２】
不織布２１は、繊維状のアルギン酸塩（止血成分）を用いて、例えばニードルパンチ法により形成されている。これにより、不織布２１が創傷部位に当てられると、創傷部位から流れ出る体液を吸収する。体液を吸収することにより、不織布２１の一部は溶解およびゲル化し、創傷部位の治癒に適した湿潤状態を保持することが可能になるとともに、血液の凝固を促進するカルシウムイオン等を放出する。これにより、創傷部位の血液の凝固を促進することが可能となり、優れた止血効果を得ることができる。なお、体液は、主として、血液及び滲出液を含む。アルギン酸塩を構成する陽イオンは、例えば、カルシウム、ナトリウム、又はこれらの両方を含む。
【００３３】
本実施形態の不織布２１は、止血成分としてアルギン酸塩が採用されているが、例えば、オキシセルロース、酸化コラーゲン、セルロースナトリウムのいずれかから形成されていてもよい。また、不織布２１が、アルギン酸塩、オキシセルロース、酸化コラーゲン、セルロースナトリウムのうちの止血成分を複数組み合わせて形成されていてもよい。要するに、不織布２１は、止血成分を含み、創傷部位から流れ出る体液を吸収することにより、その一部が溶解およびゲル化し、血液の凝固を促進するイオン等を放出し、創傷部位の血液の凝固を促進することが可能なものであればよい。これらにおいても、優れた止血効果を得ることができる。
【００３４】
本実施形態における不織布２１は、液体透過性が基材シート１０よりも高く、嵩密度が５．０×１０-2ｇ／ｃｍ3である。不織布２１の嵩密度の好ましい範囲は、４．０×１０-2ｇ／ｃｍ3〜２０．０×１０-2ｇ／ｃｍ3である。不織布２１の嵩密度が４．０×１０-2ｇ／ｃｍ3以上であると、不織布２１の表面での毛羽立ちを抑え、均一で滑らかな表面にできるうえ、ゲル化したアルギン酸塩繊維から止血に十分な量のイオンなどが創傷部位へ放出されるため好ましい。不織布２１の嵩密度が２０．０×１０-2ｇ／ｃｍ3以下であると、不織布２１は創傷部位からの体液を良好に吸収でき、アルギン酸塩繊維が容易にゲル化する上、皮膚の形状にフィットしやすい十分な柔軟性を有するため好ましい。このように不織布２１の嵩密度が４．０×１０-2ｇ／ｃｍ3以上であると、体液の吸収性が向上し、血液の凝固を促進させやすくなる。
【００３５】
補強シート２２は、例えば、合成樹脂フィルム、織布、不織布、又はこれらの内の一部または全部を組み合わせた材料により形成されている。本実施形態における補強シート２２は、不織布２１よりも引っ張り強度の高いものが採用されている。より詳細には、本実施形態における補強シート２２の引っ張り強度は、４．９Ｎ／２５ｍｍであり、不織布２１の引っ張り強度は、１．４７Ｎ／２５ｍｍである。このように補強シート２２の引っ張り強度が不織布２１よりも高いと、不織布２１の形状を効果的に保つことが可能となり、不織布２１の形が崩れにくくなる。
【００３６】
また、補強シート２２は、図２に示すように、その厚みが不織布２１よりも薄い。より詳細には、本実施形態における不織布２１の厚みは、例えば２．７ｍｍであり、これに対し補強シート２２の厚みは、例えば３０μｍである。これにより、止血パッド２０の厚みを小さくしつつ引っ張り強度を向上させることが可能となる。また、補強シート２２は、不織布２１とは反対側の面２２ｂが粘着層１２を介して基材シート１０の片面１１に接着されている。つまり、補強シート２２は、不織布２１の基材シート１０側に積層され、不織布２１と基材シート１０との間に配置されている。これにより、補強シート２２を不織布２１の剥離シート３０側の面（創傷部位と接触する面）に積層させているものよりも、不織布２１から放出されたイオンが創傷部位に届きやすいため、不織布２１の止血成分による血液の凝固がより促進する。
【００３７】
本実施形態における補強シート２２の液体透過性は、不織布２１よりも低いものであるが、不織布２１と同じであってもよいし、不織布２１よりも高くてもよい。なお、基材シート１０の液体透過性は不織布２１よりも低いが、補強シート２２の液体透過性は、この基材シート１０よりも低くてもよく、あるいは同じであっても良く、さらには高くてもよい。基材シートは、創傷部位の周囲の皮膚が蒸れにくくするため、透孔を形成して通気性を高めることがあるが、この場合は不織布に吸着された血液等が外部へ漏れたり、水分が外部から創傷部位へ浸入する虞がある。補強シートの液体透過性が基材シートよりも低いと、外部から不織布を介して創傷部位へ水分が浸入したり、創傷部位から不織布を介して血液等が外部へ漏れたりすることを防止でき、絆創膏の防水性能や防漏性能を高めることができて好ましい。
【００３８】
本実施形態における補強シート２２は、不織布２１の面２１ａにだけ接着されているが、不織布２１の面２１ａとは反対側の面（創傷部位と接触する面）２１ｂにも補強シート２２を設けもよい。つまり、止血パッドの厚み方向に関して、不織布２１の両側に補強シート２２が設けられていてもよい。こうすれば、さらに止血パッドの引っ張り強度が向上する。さらに絆創膏の製造過程において、止血パッドの表裏がなくなるため、扱いやすくなる。なお、この場合、補強シート２２の液体透過性は、不織布２１よりも高いものが好ましく、例えば、メッシュ状のものを採用すればよい。また、補強シート２２は、不織布２１の面２１ｂにだけ設けてもよい。これにおいても、止血パッドの引っ張り強度が、補強シート２２を有さない止血パッドと比して向上する。
【００３９】
剥離シート３０は、基材シート１０とで止血パッド２０を挟みつつ、基材シート１０の片面１１側全体を覆うように、片面１１に貼り付けられている。剥離シート３０は、合成樹脂製、紙製、又はそれらの積層シート等の適宜素材が使用されている。また、剥離シート３０は、基材シート１０と対向する面全体にシリコーン層（不図示）が形成されており、このシリコーン層と粘着層１２とが直接接触している。これにより、剥離シート３０を基材シート１０の片面１１から容易に剥離可能となる。
【００４０】
なお、剥離シート３０は、左右方向Ａに２分割された２つの剥離部から構成されていてもよい。この場合、２つの剥離部が、止血パッド２０と対向する位置で部分的に重なっていてもよい。こうすれば、折り返し部１３が設けられていなくても、剥離シート３０を基材シート１０から剥離しやすくなる。
【００４１】
続いて、絆創膏１の製造方法ついて説明する。本実施形態における絆創膏１の製造では、絆創膏１の製造ラインとは別のライン、すなわち、オフラインで製造された長尺な止血パッド長尺体１２０が用いられる。先ずは、止血パッド長尺体１２０の製造方法について、図３を参照しつつ以下に説明する。
【００４２】
図３に示す製造装置１００は、止血パッド長尺体１２０を製造する装置であり、原反ロール５１，５２、搬送ローラ対５３，５４、接着剤塗布手段５５、及び、巻き取り手段５６を含む。原反ロール５１は、補強シート２２の素材となる長尺な補強シート長尺体１２２が巻き取られてなる。原反ロール５２は、不織布２１の素材となる長尺な不織布長尺体１２１が巻き取られてなる。
【００４３】
先ずは、補強シート長尺体１２２を原反ロール５１から繰り出し、搬送ローラ対５３によって補強シート長尺体１２２を搬送ローラ対５４に向けて搬送する。不織布長尺体１２１を原反ロール５２から繰り出し、不織布長尺体１２１を搬送ローラ対５３によって搬送されてきた補強シート長尺体１２２の上面に重ね合わせた状態で、搬送ローラ対５４によって巻き取り手段５６に向けて搬送する。このとき、搬送ローラ対５４で、補強シート長尺体１２２と不織布長尺体１２１とを積層方向に互いに近づく方向に加圧させながら搬送する。また、このとき、搬送ローラ対５３と搬送ローラ対５４との間の搬送経路において、接着剤塗布手段５５により、補強シート長尺体１２２の上面全体に接着剤２３を塗布する。これにより、搬送ローラ対５４で、補強シート長尺体１２２と不織布長尺体１２１とが接着され、巻き取り手段５６に搬送される。
【００４４】
なお、原反ロール５２から搬送ローラ対５４までの不織布長尺体１２１にかかる張力が、当該不織布長尺体１２１が許容を越えて変形したり破断したりしない程度の張力となるように、原反ロール５２からの繰り出しと搬送ローラ対５４による搬送力が調整されている。
【００４５】
こうして、補強シート長尺体１２２と不織布長尺体１２１とが接着されてなる長尺な止血パッド長尺体１２０が巻き取り手段５６によって巻き取られて、原反ロール５７が製造される（パッド形成工程）。
【００４６】
なお、止血パッド長尺体１２０は、幅広の止血パッド長尺体を製造した後、スリッターにより長さ方向に沿って所定幅に切断して形成してもよい。こうすれば、不織布長尺体及び補強シート長尺体も幅広のものを採用することができ、これらの搬送速度を比較的速くすることが可能となる。
【００４７】
次に、製造された長尺な止血パッド長尺体１２０を用いた絆創膏１の製造方法について、図４を参照しつつ説明する。
【００４８】
図４に示す製造装置１０１は、止血パッド長尺体１２０を用いて絆創膏１を製造する装置であり、原反ロール５７〜５９、搬送ローラ対６１，６５，６６、止血パッド切断手段６２、パッド貼付手段６３、粘着剤塗布手段６４、折り返し手段６７、及び、切断手段６８を含む。原反ロール５８は、基材シート１０の素材となる長尺な基材シート長尺体１１０が巻き取られてなる。原反ロール５９は、剥離シート３０の素材となる長尺な剥離シート長尺体１３０が巻き取られてなる。
【００４９】
先ずは、止血パッド長尺体１２０を原反ロール５７から繰り出し、搬送ローラ対６１によってその止血パッド長尺体１２０を止血パッド切断手段６２に向けて搬送する（搬送工程）。この止血パッド長尺体１２０を搬送する過程では、搬送ローラや案内ローラなど止血パッド長尺体１２０と接触する部材は、できるだけ止血パッド長尺体１２０のうち補強シート長尺体１２２側の表面と接触するように配置される。
【００５０】
止血パッド切断手段６２は、搬送方向の長さが所定寸法となるように止血パッド長尺体１２０を切断するもので、止血パッド長尺体１２０の上側に配置され且つ外周に切り刃（不図示）が設けられたパッドカットロール６２ａと、止血パッド長尺体１２０の下側に配置され且つ止血パッド長尺体１２０及び切り取り後の止血パッド２０を外周面に吸着するパッド吸着ロール６２ｂとを有する。パッドカットロール６２ａ及びパッド吸着ロール６２ｂは止血パッド長尺体１２０の搬送方向に直交する幅方向の回転軸を有し、止血パッド長尺体１２０の幅方向の全体に跨って設けられており、同調回転して止血パッド長尺体１２０から止血パッド２０を切り取っていくように構成されている。
【００５１】
パッド吸着ロール６２ｂは、外周に周方向に略等間隔をおいて吸着部（不図示）が複数形成されている。各吸着部には、例えば、カット位置から貼付位置までの間、パッド吸着ロール６２ｂの内部に設けられたバキュームケース（不図示）に連通する複数の吸引孔が形成されており、パッドカットロール６２ａにより切り取られた止血パッド２０を吸着したまま基材シート長尺体１１０への貼付位置まで搬送するように構成されている。
【００５２】
なお、パッド吸着ロール６２ｂの周速度は、原反ロール５７からの止血パッド長尺体１２０の繰り出し速度よりも速い。このため、止血パッド長尺体１２０の先端部は、吸着部の吸引力に引っ張られ、切断されるまではパッド吸着ロール６２ｂとの間に滑りが発生し、一旦切り取られれば、その切り取られた部分が止血パッド２０として吸着部に吸着され、パッド吸着ロール６２ｂにより搬送される。このため、パッド吸着ロール６２ｂの外周に、周方向に適当な間隔をおいて、止血パッド２０を吸着しながら搬送することができる。
【００５３】
なお、止血パッド長尺体１２０を原反ロール５７から止血パッド切断手段６２まで搬送する搬送速度は、絆創膏１の生産速度に合わせて設定されており、パッド形成工程において、不織布長尺体１２１を搬送するときの速度よりも速くなるように調整されている。また、止血パッド長尺体１２０は、原反ロール５７からの繰り出し速度よりも高速で回転するパッド吸着ロール６２ｂから回転力を受ける。このため、止血パッド長尺体１２０には、パッド形成工程で不織布長尺体１２１にかけ得る単位幅当たりの張力よりも大きな張力がかかる。しかし、この止血パッド長尺体１２０は、補強シート長尺体１２２で補強されており、また止血パッド長尺体１２０の搬送速度やパッド吸着ロール６２ｂの周速度は、止血パッド長尺体１２０が破断しない程度の張力となるように設定されている。これにより、止血パッド長尺体１２０は、許容を越えて変形したり破断したりすることなく搬送される。
【００５４】
基材シート長尺体１１０を原反ロール５８から繰り出し、搬送ローラ対６５によって基材シート長尺体１１０をパッド貼付手段６３に向けて搬送する。このとき、搬送ローラ対６５とパッド貼付手段６３との間の搬送経路において、粘着剤塗布手段６４により、基材シート長尺体１１０の上面（片面１１となる上面）全体に粘着剤を塗布し、粘着層１２を形成する。なお、本実施形態では、基材シート長尺体１１０の搬送経路において粘着材を塗布して粘着層１２を形成したが、これに代えて、予め片面に粘着層１２が形成された基材シート長尺体１１０を用いても良く、この場合は粘着材塗布手段６４を省略することができる。さらに、予め片面に粘着層１２が形成された基材シート長尺体１１０は、その粘着層１２が基材シート用剥離シートで覆われていてもよく、この基材シート長尺体１１０を用いる場合は、止血パッド長尺体１２０、又は、所定寸法に切断された止血パッド２０を貼り付ける前に、その基材シート用剥離シートが除去される。
【００５５】
パッド貼付手段６３は、基材シート長尺体１１０の上側に配置されたパッド吸着ロール６２ｂと、基材シート長尺体１１０の下側に配置され且つ止血パッド２０の貼付位置で基材シート長尺体１１０に接触するパッド押さえロール６３ａとを有している。なお、パッド吸着ロール６２ｂは止血パッド切断手段６２と兼用されており、止血パッド２０を吸着部に吸着したままカット位置から搬送するが、貼付位置に達すると止血パッド２０の吸着部への吸着力が解除されるように構成されている。パッド吸着ロール６２ｂ及びパッド押さえロール６３ａは、基材シート長尺体１１０の搬送方向と直交する幅方向の回転軸を有し、基材シート長尺体１１０の幅方向の全体に跨って設けられており、基材シート長尺体１１０の搬送と同調回転して、止血パッド２０を粘着層１２を介して基材シート長尺体１１０に貼り付けていくように構成されている。
【００５６】
搬送ローラ対６１によって止血パッド長尺体１２０を止血パッド切断手段６２に搬送した後、止血パッド切断手段６２で止血パッド長尺体１２０を切断して順次止血パッド２０を形成する。そして、パッド吸着ロール６２ｂで止血パッド２０を貼付位置に搬送し、パッド貼付手段６３で止血パッド２０を粘着層１２を介して基材シート長尺体１１０に貼り付ける（パッド貼付工程）。
【００５７】
次に、止血パッド２０が貼付された基材シート長尺体１１０を、パッド貼付手段６３によって搬送ローラ対６６に向けて搬送する。このとき、パッド貼付手段６３と搬送ローラ対６６の間の搬送経路において、折り返し手段６７により、基材シート長尺体１１０の幅方向（すなわち、絆創膏１の長手方向である左右方向Ａ）の一端部（図４中紙面奥側の端部）を下方から折り返して、粘着層１２同士を接着させる（折り返し工程）。こうして、基材シート長尺体１１０の一端部に搬送方向に沿って連続する折り返し部１３が形成される。なお、本実施形態では、パッド貼付工程の後に折り返し工程を行ったが、基材シート長尺体１１０に粘着層１２が形成した後であれば、パッド貼付工程の前に折り返し工程を行ってもよい。
【００５８】
剥離シート長尺体１３０を原反ロール５９から繰り出し、剥離シート長尺体１３０をパッド貼付手段６３によって搬送されてきた基材シート長尺体１１０の上面に重ね合わせた状態で、搬送ローラ対６６によって切断手段６８に向けて搬送する。このとき、搬送ローラ対６６で、基材シート長尺体１１０と剥離シート長尺体１３０とを積層方向に互いに近づく方向に加圧させながら搬送し、剥離シート長尺体１３０を粘着層１２を介して基材シート長尺体１１０に貼り付けて絆創膏前躯体１０２を形成する（前躯体形成工程）。
【００５９】
切断手段６８は、隣接する止血パッド２０間で絆創膏前躯体１０２を、幅方向の全体に跨って略直線的に切断していくもので、絆創膏前躯体１０２の上側に設けられ且つ外周に切り刃（不図示）が設けられたシートカットロール６８ａと、絆創膏前躯体１０２の下側に設けられ且つ切断位置でシートカットロール６８ａを受ける切断受けロール６８ｂとを有する。シートカットロール６８ａ及び切断受けロール６８ｂは、絆創膏前躯体１０２の搬送方向と直交する幅方向の回転軸を有し、その幅方向の全体に跨って設けられており、絆創膏前躯体１０２の搬送と同調回転して、絆創膏前躯体１０２を各止血パッド２０の間で順次切断していくように構成されている。なお、本実施形態では、切断手段６８が絆創膏前躯体１０２を幅方向の全体に跨って切断しているが、切断手段６８は、例えば剥離シート長尺体１３０の一部のみを残すなど、絆創膏前躯体１０２の幅方向の一部を残して切断するように構成してもよい。
【００６０】
絆創膏前躯体１０２を形成した後、当該絆創膏前躯体１０２を切断手段６８に搬送し、絆創膏前躯体１０２の止血パッド２０間で適宜切断し、上述の絆創膏１を順次形成する（切断工程）。こうして、絆創膏１の製造が終了する。
【００６１】
以上に述べたように、本実施形態の絆創膏１によると、止血パッド２０が、不織布２１と補強シート２２とが一体的に積層されて構成される。このため、止血パッド２０の引っ張り強度が、不織布２１だけを有する止血パッドよりも大きくなる。このように止血パッド２０の引っ張り強度が大きくなるような構成とすることで、製造過程において止血パッド２０となる止血パッド長尺体１２０に不織布２１が許容を越えて変形したり破断したりする張力がかかっても当該止血パッド長尺体１２０が許容を越えて変形したり破断したりしにくくなる。このため、止血成分を含む不織布を有しながら、型崩れが抑制されて所定形状に維持された止血パッド２０を備え、生産性が向上する絆創膏１となる。
【００６２】
絆創膏１の製造方法によると、パッド形成工程で不織布長尺体１２１と補強シート長尺体１２２とが一体的に積層された止血パッド長尺体１２０が形成される。このため、止血パッド長尺体１２０の引っ張り強度が、不織布長尺体１２１だけのときよりも大きくなり、不織布長尺体１２１単体が許容を越えて変形したり破断したりする単位幅当たりの張力よりも大きい所定の張力、例えば、パッド形成工程で不織布長尺体１２１にかけ得る単位幅当たりの張力よりも大きい所定の張力を止血パッド長尺体１２０にかけつつ止血パッド長尺体１２０を搬送することが可能となり、所定形状の止血パッド２０を備える絆創膏１を安定よく高速で生産することができ、絆創膏１の生産性を向上させることができる。この搬送工程において、止血パッド長尺体１２０にかかる張力は、この止血パッド長尺体１２０が変形したり破断したりする張力未満である必要はあるが、不織布２１が許容を越えて変形したり破断したりする張力が止血パッド長尺体１２０にかかっても当該止血パッド長尺体１２０の引っ張り強度は比較的大きいため、変形したり破断したりしにくくなる。そして、止血パッドが変形しにくくなるので、止血パッドを貼り付けた基材シートに皺が生じるのを抑制することができる。
【００６３】
また、パッド形成工程において、止血パッド長尺体１２０をロール状に巻き取ることで、搬送工程では、止血パッド長尺体１２０がロール状に巻き取られてなる原反ロール５７から繰り出されて搬送される。このため、パッド形成工程における不織布長尺体１２１の搬送速度を、その後に止血パッド長尺体１２０を搬送する速度と異なる任意の搬送速度に設定でき、不織布長尺体１２１にかかる張力を小さく抑えることが可能となる。
【００６４】
また、折り返し工程が行われることで、基材シート長尺体１１０の一端部に剥離シート長尺体１３０に貼り付かない折り返し部１３を形成することが可能となる。このため、絆創膏１において、折り返し部１３を掴んで基材シート１０を剥離シート３０から容易に剥がすことが可能となる。
【００６５】
以上、本発明の好適な実施の形態について説明したが、本発明は上述の実施の形態に限られるものではなく、特許請求の範囲に記載した限りにおいて様々な変更が可能なものである。例えば、上述の実施形態においては、止血パッド切断手段６２で搬送方向の長さが所定寸法となる止血パッド２０を形成し、粘着層１２を介して当該止血パッド２０を基材シート長尺体１１０に貼り付けていたが、止血パッド長尺体１２０をそのまま粘着層１２を介して基材シート長尺体１１０に貼り付けてもよい。そして、剥離シート長尺体１３０が貼り付けられてなる絆創膏前躯体を切断手段６８で順次切断して、絆創膏を製造する。このとき形成される絆創膏は、止血パッド２０の幅方向Ｂの長さが基材シート１０の幅方向Ｂの長さと同じとなる。
【００６６】
パッド形成工程において、止血パッド長尺体１２０をロール状に巻き取らなくてもよい。また、止血パッド長尺体１２０を製造する製造ラインが、絆創膏１を製造する製造ラインにあってもよい。
【００６７】
補強シートは、不織布２１の引っ張り強度を高めるものであればよく、補強シート２２の引っ張り強度が、不織布２１の引っ張り強度以下であってもよい。また、補強シート２２の厚みが、不織布２１の厚み以上であってもよい。また、剥離シート３０を２つの剥離部から構成したり、基材シート１０の一端部に沿った部分で粘着層１２の形成を省略したりするなど、剥離シート３０が基材シート１０から容易に剥離される場合には、折り返し部１３が設けられていなくてもよい。この場合、絆創膏１を製造する過程において、基材シート長尺体１１０の一部を折り返す折り返し工程を省略してもよい。
【符号の説明】
【００６８】
１  絆創膏
１０  基材シート
１１  片面
１２  粘着層
１３  折り返し部
２０  止血パッド
２１  不織布
２２  補強シート
３０  剥離シート
１０２  絆創膏前躯体
１１０  基材シート長尺体
１２０  止血パッド長尺体
１２１  不織布長尺体
１２２  補強シート長尺体
１３０  剥離シート長尺体
【図１】
0006317716.tif 000002
【図２】
0006317716.tif 000003
【図３】
0006317716.tif 000004
【図４】
0006317716.tif 000005